(57)【要約】【課題】安価で、２枚同時めくりのない通帳プリンタ頁めくりユニットを提供する。【解決手段】この通帳プリンタ頁めくりユニットは、頁めくりユニット内の所定の位置に通帳１を搬送停止させた際に通帳１を湾曲させ、通帳後半表面の１頁目が分離し易い状態で把持できるように、通帳搬送方向へ湾曲した通帳ガイド８および９を持つことを特徴とし、通帳１を湾曲させる突き上げ棒を削除して頁めくりユニットの構成を単純化する。また、通帳搬送方向に平行な折れ癖がある通帳１に対しても、予め通帳１を湾曲した状態で把持することによって通帳１をめくりローラ７に押し付ける押圧力を小さくすることにより、高温高湿環境下で２枚同時めくりをなくすことができる。【選択図】      図１
2004330693.tif 000002
【特許請求の範囲】
【請求項１】
頁めくりユニット内の所定の位置に通帳を搬送停止させた際に前記通帳を湾曲させ、前記通帳後半表面の１頁目が分離し易い状態で把持できるように、前記通帳搬送方向へ湾曲した通帳ガイドを持つことを特徴とする通帳プリンタ頁めくりユニット。
【請求項２】
通帳を頁めくりユニット内へ搬送する第１の搬送ローラと、この第１の搬送ローラに前記通帳を所定の押圧力で押し付ける第１の押圧ローラと、その円周上に前記通帳との摩擦係数が高いゴム等の材質で成形されたピック部を有し前記通帳後半表面の頁をめくり上げて頁めくりを行うめくりローラと、このめくりローラに前記通帳を所定の押圧力で押し付ける突上げローラと、頁めくり動作中に前記めくりローラが前記通帳に及ぼす摩擦力によって前記通帳が通帳吸入方向へ逃げることを抑え、かつ、めくり上げた頁をめくり返すための通帳戻し搬送を行い、前記第１の搬送ローラと同期回転する第２の搬送ローラと、この第２の搬送ローラに前記通帳を所定の押圧力で押し付ける第２の押圧ローラと、前記めくりローラが前記通帳の後半頁をめくり上げ易くするために前記通帳を搬送方向に湾曲させることを目的として所定の半径で湾曲し、かつ、頁めくり動作中に前記めくりローラがめくり頁を湾曲させるのを妨げないように開閉動作する開閉ガイドと、前記めくりローラが前記通帳の後半頁をめくり上げ易くするために前記通帳を搬送方向に湾曲させることを目的として所定の半径で湾曲し前記通帳の表紙側をガイドする第１の搬送ガイドと、この第１の搬送ガイドと対を成し前記通帳表紙の反対側をガイドする第２の搬送ガイドと、前記めくりローラを駆動するモータと、前記突上げローラを駆動する第１のソレノイドと、前記開閉ガイドを駆動する第２のソレノイドとを備えることを特徴とする通帳プリンタ頁めくりユニット。
【請求項３】
前記ピック部を持つ前記めくりローラが通帳搬送方向と垂直な方向に複数個配置されていることを特徴とする請求項１または２記載の通帳プリンタ頁めくりユニット。
【請求項４】
通帳表面との摩擦力が大きいゴム等の材質で成形された前記第１および第２の搬送ローラが、通帳搬送方向と垂直な方向に複数個配置されていることを特徴とする請求項１または２記載の通帳プリンタ頁めくりユニット。
【請求項５】
前記めくりローラの中心軸の片端に第１の円筒面カムを配置し、前記めくりローラの回転に同期して前記開閉ガイドの動作を制御することにより、前記開閉ガイドを駆動する前記第２のソレノイドの省略を可能にすることを特徴とする請求項１または２記載の通帳プリンタ頁めくりユニット。
【請求項６】
前記めくりローラの中心軸の片端に第２の円筒面カムを配置し、前記めくりローラの回転に同期して前記突上げローラの動作を制御することにより、前記突上げローラを駆動する前記第１のソレノイドの省略を可能にすることを特徴とする請求項１または２記載の通帳プリンタ頁めくりユニット。
【請求項７】
前記めくりローラの中心軸の一方片端に第１の円筒面カムを配置し、前記めくりローラの回転に同期して前記開閉ガイドの動作を制御することにより、前記開閉ガイドを駆動する前記第２のソレノイドを省略し、かつ、前記めくりローラの中心軸の他方片端に第２の円筒面カムを配置し、前記めくりローラの回転に同期して前記突上げローラの動作を制御することにより、前記突上げローラを駆動する前記第１のソレノイドを省略を可能にすることを特徴とする請求項１または２記載の通帳プリンタ頁めくりユニット。
【請求項８】
前記通帳表面との摩擦力が大きいゴム等の材質で成形されたローラが通帳搬送方向と垂直な方向に複数個配置された前記第１の搬送ローラおよび前記第２の搬送ローラであって、かつ、前記第２の搬送ローラのローラ外径が他のローラと比較して大きいので、対抗する前記第２の押圧ローラを削除でき、前記通帳中央部に前記通帳搬送方向と平行な折れ癖を持つ前記通帳の湾曲半径を小さくすることによって、さらに前記通帳後半表面の１頁目を分離し易くする特徴を有する請求項１または２記載の通帳プリンタ頁めくりユニット。
【請求項９】
前記通帳後半表面の１頁目を前記めくりローラでめくり上げ、前記通帳の１頁目の後端が２頁目から浮いた状態で前記めくりローラの回転を停止し、前記突上げローラを下げて前記２頁目と前記めくりローラとに隙間を生じさせた状態で前記第２の搬送ローラを回転させて前記通帳を吸入方向へ所定距離搬送し、前記１頁目との摩擦力によってめくり上げられた状態となった前記２頁目を落とす動作を追加することを特徴とする請求項１または２記載の通帳プリンタ頁めくりユニット。
【発明の詳細な説明】
【０００１】
【発明の属する技術分野】
本発明は通帳プリンタ頁めくりユニットに関し、特に頁めくりユニット内の所定の位置に通帳を搬送停止させた際に通帳を湾曲させ、通帳後半表面の１頁目が分離し易い状態で把持できるように、通帳搬送方向へ湾曲した通帳ガイドを持つことを特徴とする通帳プリンタ頁めくりユニットに関する。
【０００２】
【従来の技術】
通帳プリンタ頁めくりユニットの従来例１の構成を示す図８を参照すると、従来例１の通帳プリンタ頁めくりユニットは、通帳８１を頁めくり部へ搬送する搬送ローラ８３ａと、通帳８１の後半頁をめくり上げて頁めくりを行うめくりローラ８７と、通帳８１の後半頁全体を湾曲させる突上げ棒８５と、めくりローラ８７に通帳８１を所定の押圧力で押し当てるピンチローラ８６と、頁めくり動作中にめくりローラ８７が通帳８１に及ぼす摩擦力によって通帳８１が通帳吸入方向へ逃げることを抑え、かつ、めくり上げた頁をめくり返すための通帳戻し搬送を行う搬送ローラ８３ｂと、頁めくり動作中にめくりローラ８７がめくり頁を湾曲させるのを妨げないように開動作する開閉ガイド８４とによって構成される（例えば、特許文献１参照）。
【０００３】
この従来例１の頁めくりユニットの動作は、搬送ローラ８３ａ，８３ｂによって通帳８１を頁めくりユニット内の所定の位置に停止させるステップと、めくりローラ８７によりめくり上げた頁と干渉しないように開閉ガイド８４を上げ、突上げ棒８５により通帳８１後端とセンターホールドの間で通帳８１を湾曲させると共に、ピンチローラ８６が通帳８１をめくりローラ８７に押し当てた状態でめくりローラ８７が回転して、めくりローラ８７の摩擦力によって通帳８１表面の１頁を剥離、湾曲させるステップと、頁めくりを行う通帳８１表面１頁以外の頁がめくりローラ８７の回転による湾曲から脱し、次の跳ね上げ動作時に２枚めくりとならないように、めくりローラ８７が所定の角度回転した時点でピンチローラ８６と突上げ棒８５を同時に下降させた後に、めくりローラ８７をさらに回転させてめくりローラ８７の上部まで跳ね上げるステップと、跳ね上げ動作完了後に突上げ棒８５を再度上昇させ、通帳８１後半頁をめくりローラ８７に押し当てた状態で、搬送ローラ８３ｂにて通帳８１を吸入方向へ搬送することによって、めくりローラ８７と通帳２頁目との摩擦力を利用して２頁目以降の浮き上がりを修正するステップと、通帳８１を搬送ローラ８３ａ，８３ｂにより排出方向に搬送させて、めくりローラ８７上部に跳ね上げた頁をめくり返すステップと、通帳８１先端がめくりローラ８７の下に入り込んだ後に、開閉ガイド８４を閉動作して一連の頁めくり動作を終了するステップとを含むことを特徴としている。
【０００４】
以上説明した従来例１の頁めくりユニットは、めくりローラ８７上部に跳ね上げた頁をめくり返すために通帳８１を排出方向へ搬送する際に、浮き上がった状態の２頁目以降の頁がめくりローラ８７と下側搬送路の間に巻き込まれるために発生する折れを防止するという効果があることを主旨としている。
【０００５】
しかし、通帳８１をめくりローラ８７に押し当てるピンチローラ８６、および、通帳８１後半頁全体を湾曲させる突上げ棒８５は、上昇・下降の動作タイミングが違うことによって個別に制御する必要があり、頁めくりユニットの構成が複雑となると共に、装置原価が増加するという欠点があった。
【０００６】
次に従来例１の欠点を補う従来例２の頁めくりユニットを図９を用いて説明する。
【０００７】
従来例２に示す頁めくりユニットは、通帳９１を頁めくり部へ搬送する搬送ローラ９３ａと、通帳９１の後半頁をめくり上げて頁めくりを行うめくりローラ９７と、通帳９１後半頁をめくりローラ９７に押し付ける働きをすると共に、通帳９１をめくりローラ９７へ押し当てる際に、めくりローラ９７の鉛直下方から通帳９１吸入方向にずれた位置で通帳９１を下方から押し上げて通帳９１後半頁全体を湾曲させる突上げローラ９５と、頁めくり動作中にめくりローラ９７が通帳に及ぼす摩擦力によって通帳９１が通帳９１吸入方向へ逃げることを抑え、かつ、めくり上げた頁をめくり返すための通帳９１戻し搬送を行う搬送ローラ９３ｂと、頁めくり動作中にめくりローラ９７がめくり頁を湾曲させるのを妨げないように開動作する開閉ガイド９４とによって構成される。
【０００８】
この従来例２の頁めくりユニットの動作は、搬送ローラ９３ａ，９３ｂによって通帳を頁めくりユニットの所定の位置に停止させるステップと、めくりローラ９７により通帳９１表面の１頁を剥離、湾曲できるように開閉ガイド９４を開動作した後、突上げローラ９５を上昇させて通帳９１後半頁をめくりローラ９７に押し当てることによって通帳を湾曲させた状態で、めくりローラ９７が回転して、めくりローラ９７の摩擦力によって通帳表面の１頁を剥離、湾曲させるステップと、頁めくりを行う通帳９１表面１頁以外の頁がめくりローラ９７の回転による湾曲から脱して次の跳ね上げ動作時に２枚めくりとならないように、めくりローラ９７が所定の角度回転した時点で突上げローラ９５を下降させた後、めくりローラ９７をさらに回転させてめくりローラ９７の上部まで跳ね上げるステップと、跳ね上げ動作完了後に突上げローラ９５を再度上昇させ、通帳９１後半頁をめくりローラ９７に押し当てた状態で、搬送ローラ９３ｂにて通帳９１を吸入方向へ搬送することによって、めくりローラ９７と通帳２頁目との摩擦力を利用して２頁目以降の浮き上がりを修正するステップと、通帳９１を搬送ローラ９３ａ，９３ｂにより排出方向に搬送させて、めくりローラ９７上部に跳ね上げた頁をめくり返すステップと、通帳９１先端がめくりローラ９７の下に入り込んだ後に、開閉ガイド９４を閉動作して一連の頁めくり動作を終了するステップとを含むことを特徴としている。
【０００９】
【特許文献１】
特開平１１−１４７３８２号公報（第３−４頁、図１）
【００１０】
【発明が解決しようとする課題】
以上説明した従来例２の頁めくりユニットは、突上げローラ９５が従来例１記載の突上げ棒８５とピンチローラ８６の機能を兼用しているため、従来例１より構成は単純である。しかし、図１０に示すような通帳搬送方向に平行な折れ癖がある通帳の先頭頁をめくる場合、通帳表紙頁を除いた全頁の折れ癖に逆らって通帳を湾曲させる力が必要であり、突上げローラ９５がめくりローラ９７に通帳を押し付ける力は、折れ癖の無い一般的な通帳を湾曲させる力の約１．５倍必要となる。この条件にて、高温高湿環境下で頁めくり動作を行った場合、突上げローラ９５が通帳をめくりローラ９７へ押し付ける押圧力が大きいため、めくりローラ９７と通帳表面の摩擦力より通帳各頁間の摩擦力が大きくなって１頁を分離することが困難となり、２枚同時めくりが発生するという問題があった。
【００１１】
本発明の目的は、頁めくりユニット内の所定の位置に通帳を搬送停止させた際に通帳を湾曲させ、通帳後半表面の１頁目が分離し易い状態で把持できるように、通帳搬送方向へ湾曲した通帳ガイドを持つことを特徴とし、通帳を湾曲させる突き上げ棒を削除して頁めくりユニットの構成を単純化することにより、安価に製造できるという効果があり、かつ、通帳搬送方向に平行な折れ癖がある通帳に対しても、予め通帳を湾曲した状態で把持することによって通帳をめくりローラに押し付ける押圧力を小さくすることにより、高温高湿環境下で２枚同時めくりをなくすことができる通帳プリンタ頁めくりユニットを提供することにある。
【００１２】
【課題を解決するための手段】
本発明の通帳プリンタ頁めくりユニットは、頁めくりユニット内の所定の位置に通帳を搬送停止させた際に前記通帳を湾曲させ、前記通帳後半表面の１頁目が分離し易い状態で把持できるように、前記通帳搬送方向へ湾曲した通帳ガイドを持つことを特徴とする。
【００１３】
また、本発明の通帳プリンタ頁めくりユニットは、通帳を頁めくりユニット内へ搬送する第１の搬送ローラと、この第１の搬送ローラに前記通帳を所定の押圧力で押し付ける第１の押圧ローラと、その円周上に前記通帳との摩擦係数が高いゴム等の材質で成形されたピック部を有し前記通帳後半表面の頁をめくり上げて頁めくりを行うめくりローラと、このめくりローラに前記通帳を所定の押圧力で押し付ける突上げローラと、頁めくり動作中に前記めくりローラが前記通帳に及ぼす摩擦力によって前記通帳が通帳吸入方向へ逃げることを抑え、かつ、めくり上げた頁をめくり返すための通帳戻し搬送を行い、前記第１の搬送ローラと同期回転する第２の搬送ローラと、この第２の搬送ローラに前記通帳を所定の押圧力で押し付ける第２の押圧ローラと、前記めくりローラが前記通帳の後半頁をめくり上げ易くするために前記通帳を搬送方向に湾曲させることを目的として所定の半径で湾曲し、かつ、頁めくり動作中に前記めくりローラがめくり頁を湾曲させるのを妨げないように開閉動作する開閉ガイドと、前記めくりローラが前記通帳の後半頁をめくり上げ易くするために前記通帳を搬送方向に湾曲させることを目的として所定の半径で湾曲し前記通帳の表紙側をガイドする第１の搬送ガイドと、この第１の搬送ガイドと対を成し前記通帳表紙の反対側をガイドする第２の搬送ガイドと、前記めくりローラを駆動するモータと、前記突上げローラを駆動する第１のソレノイドと、前記開閉ガイドを駆動する第２のソレノイドとを備える。
【００１４】
さらに、本発明の通帳プリンタ頁めくりユニットは、前記ピック部を持つ前記めくりローラが通帳搬送方向と垂直な方向に複数個配置されている。
【００１５】
さらに、本発明の通帳プリンタ頁めくりユニットは、通帳表面との摩擦力が大きいゴム等の材質で成形された前記第１および第２の搬送ローラが、通帳搬送方向と垂直な方向に複数個配置されている。
【００１６】
さらに、本発明の通帳プリンタ頁めくりユニットは、前記めくりローラの中心軸の片端に第１の円筒面カムを配置し、前記めくりローラの回転に同期して前記開閉ガイドの動作を制御することにより、前記開閉ガイドを駆動する前記第２のソレノイドの省略を可能にする。
【００１７】
さらに、本発明の通帳プリンタ頁めくりユニットは、前記めくりローラの中心軸の片端に第２の円筒面カムを配置し、前記めくりローラの回転に同期して前記突上げローラの動作を制御することにより、前記突上げローラを駆動する前記第１のソレノイドの省略を可能にする。
【００１８】
さらに、本発明の通帳プリンタ頁めくりユニットは、前記めくりローラの中心軸の一方片端に第１の円筒面カムを配置し、前記めくりローラの回転に同期して前記開閉ガイドの動作を制御することにより、前記開閉ガイドを駆動する前記第２のソレノイドを省略し、かつ、前記めくりローラの中心軸の他方片端に第２の円筒面カムを配置し、前記めくりローラの回転に同期して前記突上げローラの動作を制御することにより、前記突上げローラを駆動する前記第１のソレノイドを省略を可能にする。
【００１９】
さらに、本発明の通帳プリンタ頁めくりユニットは、前記通帳表面との摩擦力が大きいゴム等の材質で成形されたローラが通帳搬送方向と垂直な方向に複数個配置された前記第１の搬送ローラおよび前記第２の搬送ローラであって、かつ、前記第２の搬送ローラのローラ外径が他のローラと比較して大きいので、対抗する前記第２の押圧ローラを削除でき、前記通帳中央部に前記通帳搬送方向と平行な折れ癖を持つ前記通帳の湾曲半径を小さくすることによって、さらに前記通帳後半表面の１頁目を分離し易くする。
【００２０】
さらに、本発明の通帳プリンタ頁めくりユニットは、前記通帳後半表面の１頁目を前記めくりローラでめくり上げ、前記通帳の１頁目の後端が２頁目から浮いた状態で前記めくりローラの回転を停止し、前記突上げローラを下げて前記２頁目と前記めくりローラとに隙間を生じさせた状態で前記第２の搬送ローラを回転させて前記通帳を吸入方向へ所定距離搬送し、前記１頁目との摩擦力によってめくり上げられた状態となった前記２頁目を落とす動作を追加することを特徴とする。
【００２１】
【発明の実施の形態】
本発明の通帳プリンタ頁めくりユニットは、頁めくりユニット内の所定の位置に通帳を搬送停止させた際に通帳を湾曲させ、通帳後半表面の１頁目が分離し易い状態で把持できるように、通帳搬送方向へ湾曲した通帳ガイドを持つことを特徴とし、通帳を湾曲させる突き上げ棒を削除して頁めくりユニットの構成を単純化することにより、安価に製造できるという効果があり、かつ、通帳搬送方向に平行な折れ癖がある通帳に対しても、予め通帳を湾曲した状態で把持することによって通帳をめくりローラに押し付ける押圧力を小さくすることにより、高温高湿環境下で２枚同時めくりをなくすことができる。
【００２２】
次に、本発明の実施の形態について図面を参照して詳細に説明する。
【００２３】
本発明の第１の実施の形態を側面図で示す図１を参照すると、この実施の形態の通帳プリンタ頁めくりユニットは、通帳１を頁めくりユニット内へ搬送する第１の搬送ローラ３ａと、この第１の搬送ローラ３ａに通帳１を所定の押圧力で押し付ける第１の押圧ローラ２ａと、その円周上に通帳１との摩擦係数が高いゴム等の材質で成形されたピック部１０を有し通帳１後半表面の頁をめくり上げて頁めくりを行うめくりローラ７と、このめくりローラ７に通帳１を所定の押圧力で押し付ける突上げローラ５と、頁めくり動作中にめくりローラ７が通帳１に及ぼす摩擦力によって通帳１が通帳吸入方向へ逃げることを抑え、かつ、めくり上げた頁をめくり返すための通帳戻し搬送を行い、第１の搬送ローラ３ａと同期回転する第２の搬送ローラ３ｂと、この第２の搬送ローラ３ｂに通帳１を所定の押圧力で押し付ける第２の押圧ローラ２ｂと、めくりローラ７が通帳１の後半頁をめくり上げ易くするために通帳１を搬送方向に湾曲させることを目的として所定の半径で湾曲し、かつ、頁めくり動作中にめくりローラ７がめくり頁を湾曲させるのを妨げないように開閉動作する開閉ガイド４と、めくりローラ７が通帳１の後半頁をめくり上げ易くするために通帳１を搬送方向に湾曲させることを目的として所定の半径で湾曲し通帳１の表紙側をガイドする第１の搬送ガイド８と、この第１の搬送ガイド８と対を成し通帳１表紙の反対側をガイドする第２の搬送ガイド９と、めくりローラ７を駆動するモータ６と、突上げローラ５を駆動する第１のソレノイド１１と、開閉ガイド４を駆動する第２のソレノイド１２とによって構成される。
【００２４】
本発明の第１の実施の形態の動作を図１，図２および図３を用いて説明する。
【００２５】
この第１の実施の形態の通帳プリンタ頁めくりユニットは、図１に示すように、第１の搬送ローラ３ａおよび第２の搬送ローラ３ｂにより通帳１を頁めくりユニット内へ搬送し、通帳１後端が第１の搬送ローラ３ａを超え、かつ、第２の搬送ローラ３ｂが通帳１を所定の位置で把持した状態で停止させ、第２の搬送ローラ３ｂが開閉ガイド４と第１の搬送ガイド８との間、および、第１の搬送ガイド８と第２の搬送ガイド９との間で湾曲した状態の通帳１を搬送方向に動かないよう把持する。
【００２６】
次に、図２に示すように、めくりローラ７が通帳１後半の頁をめくりあげる時の妨げとならないように、開閉ガイド４が開くと同時に、突き上げローラ５が所定の押圧力で通帳１後半頁をめくりローラ７に押し付けるように上昇した後、めくりローラ７が反時計方向へ回転して、めくりローラ７のピック部１０の摩擦力により通帳１後半表面の１頁目を湾曲させてめくり上げる。めくりローラ７は、通帳１後半表面の１頁目が湾曲し、その後端が通帳１後半の２頁目から所定の高さまで離れた状態で停止し、突上げローラ５が下降して、めくりローラ７へ押し付けた通帳１を開放する。
【００２７】
次に、図３に示すように、めくりローラ７は、めくり上げた通帳１後半表面の１頁目がめくりローラ７の上に跳ね上げられるまで回転し、めくりローラ７のピック部１０が所定の位置になるまで回転して停止する。
【００２８】
次に、第２の搬送ローラ３ｂにより通帳１を戻し方向へ搬送して、跳ね上げた頁を通帳１前半頁側へ倒すことによって、頁めくり動作を完了した後、次の通帳吸入動作に備えて開閉ガイド４を閉じる。
【００２９】
以上説明した本発明の第１の実施の形態である通帳プリンタ頁めくりユニットは、第１の搬送ガイド８が湾曲していることにより、通帳１を頁めくり部へ吸入する際に、頁がめくり易いように通帳１を湾曲して把持することができる。
【００３０】
一方、図９に示す従来例２においては、平坦な搬送ガイド９８を持つため、突上げローラ９５が通帳９１をめくりローラ９７へ押し付けることによって通帳を湾曲させるため、図１０に示す通帳搬送方向に平行な折れ癖がある通帳を頁めくりする際、一般的に６００ｇｆ程度の押圧力が必要である。
【００３１】
これに対し、この第１の実施の形態の通帳プリンタ頁めくりユニットでは、通帳を予め湾曲させた状態で把持しているため、突上げローラ５の押圧力は４００ｇｆ程度で頁めくりが可能である。これにより、通帳１後半表面の１頁目と２頁目の摩擦力を低減することができ、高温高湿環境下での２枚同時めくりを防止することができる。
【００３２】
なお、開閉ガイド４、第１の搬送ガイド８および第２の搬送ガイド９は、図１０に示す通帳搬送方向に平行な折れ癖のある通帳がめくり易いように予め湾曲させるため、市場で用いられる一般的な通帳を用いた場合、その半径はＲ９０程度の曲率が必要である。
【００３３】
第２の実施の形態の構成を示す図４を参照すると、この実施の形態の通帳プリンタ頁めくりユニットは、ピック部１０を持つめくりローラ７が通帳搬送方向と垂直な方向に複数個配置されている。
【００３４】
第３の実施の形態の構成を示す図４を参照すると、この実施の形態の通帳プリンタ頁めくりユニットは、通帳表面との摩擦力が大きいゴム等の材質で成形された第１の搬送ローラ３ａおよび第２の搬送ローラ３ｂが、通帳搬送方向と垂直な方向に複数個配置される。
【００３５】
第４の実施の形態の構成を示す図４および図５を参照すると、この実施の形態の通帳プリンタ頁めくりユニットは、めくりローラ７の中心軸の片端に第１の円筒面カム１５を配置し、めくりローラ７の回転に同期して開閉ガイド４の動作を制御することにより、開閉ガイド４を駆動する第２のソレノイド１２（図１）の省略を可能にする。
【００３６】
第５の実施の形態の構成を示す図６を参照すると、この実施の形態の通帳プリンタ頁めくりユニットは、めくりローラ７の中心軸の片端に第２の円筒面カム１６を配置し、めくりローラ７の回転に同期して突上げローラ５の動作を制御することにより、突上げローラ５を駆動する第１のソレノイド１１（図１）の省略を可能にする。
【００３７】
第６の実施の形態の構成を示す図５および図６を参照すると、この実施の形態の通帳プリンタ頁めくりユニットは、めくりローラ７の中心軸の一方片端に第１の円筒面カム１５を配置し、めくりローラ７の回転に同期して開閉ガイド４の動作を制御することにより、開閉ガイド４を駆動する第２のソレノイド１２（図１）を省略し、かつ、めくりローラ７の中心軸の他方片端に第２の円筒面カム１６を配置し、めくりローラ７の回転に同期して突上げローラ５の動作を制御することにより、突上げローラ５を駆動する第１のソレノイド１１（図１）を省略した構成を可能にする。
【００３８】
第７の実施の形態の構成を示す図７を参照すると、この実施の形態の通帳プリンタ頁めくりユニットは、通帳１表面との摩擦力が大きいゴム等の材質で成形されたローラが通帳搬送方向と垂直な方向に複数個配置された第１の搬送ローラ３ａおよび第２の搬送ローラ３ｂであって、かつ、第２の搬送ローラ３ｂのローラ外径が他のローラと比較して大きいので、対抗する第２の押圧ローラ２ｂを削除でき、図１０に示す通帳中央部に通帳搬送方向と平行な折れ癖を持つ通帳の湾曲半径を小さくすることによって、さらに通帳後半表面の１頁目を分離し易くする特徴を有する。
【００３９】
第８の実施の形態の構成を示す図７を参照すると、この実施の形態の通帳プリンタ頁めくりユニットは、第１の実施の形態において、通帳後半表面の１頁目をめくりローラ７でめくり上げ、１頁目の後端が２頁目から浮いた状態でめくりローラ７の回転を停止し、突上げローラ５を下げて２頁目とめくりローラ７とに隙間を生じさせた状態で第２の搬送ローラ３ｂを回転させて通帳１を吸入方向へ所定距離搬送し、１頁目との摩擦力によってめくり上げられた状態となった２頁目を落とす動作を追加することを特徴とする。
【００４０】
【発明の効果】
本発明の通帳プリンタ頁めくりユニットは、頁めくりユニット内の所定の位置に通帳を搬送停止させた際に通帳を湾曲させ、通帳後半表面の１頁目が分離し易い状態で把持できるように、通帳搬送方向へ湾曲した通帳ガイドを持つことを特徴とし、通帳を湾曲させる突き上げ棒を削除して頁めくりユニットの構成を単純化することにより、安価に製造できるという効果があり、かつ、通帳搬送方向に平行な折れ癖がある通帳に対しても、予め通帳を湾曲した状態で把持することによって通帳をめくりローラに押し付ける押圧力を小さくすることにより、高温高湿環境下で２枚同時めくりをなくすことができるという効果がある。
【図面の簡単な説明】
【図１】本発明の第１の実施の形態の構成を示す断面図である。
【図２】第１の実施の形態における頁めくりユニットの動作を説明する図である。
【図３】第１の実施の形態における頁めくりユニットの動作を説明する図である。
【図４】第２，３，４の実施の形態における頁めくりユニットの動作を説明する図である。
【図５】第４，６の実施の形態における頁めくりユニットの動作を説明する図である。
【図６】第５，６の実施の形態における頁めくりユニットの動作を説明する図である。
【図７】第７，８の実施の形態における頁めくりユニットの動作を説明する図である。
【図８】従来例を説明する図である。
【図９】従来例を説明する図である。
【図１０】通帳を示す図である。
【符号の説明】
１    通帳
２ａ    第１の押圧ローラ
２ｂ    第２の押圧ローラ
３ａ    第１の搬送ローラ
３ｂ    第２の搬送ローラ
４    開閉ガイド
５    突上げローラ
６    モータ
７    めくりローラ
８    第１の搬送ガイド
９    第２の搬送ガイド
１０    ピック部
１１    第１のソレノイド
１２    第２のソレノイド
１５    第１の円筒面カム
１６    第２の円筒面カム
【図１】
2004330693.tif 000003
【図２】
2004330693.tif 000004
【図３】
2004330693.tif 000005
【図４】
2004330693.tif 000006
【図５】
2004330693.tif 000007
【図６】
2004330693.tif 000008
【図７】
2004330693.tif 000009
【図８】
2004330693.tif 000010
【図９】
2004330693.tif 000011
【図１０】
2004330693.tif 000012